(57)【要約】【課題】マルチセッションにおけるセッション間の優先順位（ＱｏＳ値）に基づくパケット制御を考慮した無線リソースの割当制御を行うことができる無線通信装置およびその制御方法を提供する。【解決手段】無線通信装置(100)は、セッション毎に規定されている優先順位に基づき、複数のセッションに対して無線リソースの割当制御を行う無線リソース割当部(120)と、或るセッションを介して送信するべきデータが自装置内にあるとき、優先順位に基づく割当制御では或るセッションに対して使用可能な無線リソースが存在しない場合、無線リソースを割り当てられている他のセッションから少なくとも１つの無線リソースを強制的に開放し、或るセッションに開放した無線リソースを割り当てるように、無線リソース割当部を制御する制御部(130)とを備えることを特徴とする。【選択図】図１
2008085794.tif 000002
【特許請求の範囲】
【請求項１】
セッション毎に規定されている優先順位に基づき、複数のセッションに対して無線リソースの割当制御を行う無線リソース割当部と、
或るセッションを介して送信するべきデータが自装置内にあるとき、前記優先順位に基づく割当制御では前記或るセッションに対して使用可能な無線リソースが存在しない場合、無線リソースを割り当てられている他のセッションから少なくとも１つの無線リソースを強制的に開放し、前記或るセッションに開放した無線リソースを割り当てるように、前記無線リソース割当部を制御する制御部と、
を備えることを特徴とする無線通信装置。
【請求項２】
請求項１に記載の無線通信装置において、
前記制御部は、
前記或るセッションに開放した無線リソースを割り当てた場合、前記或るセッションを介して送信すべきデータに応じた時間は、当該無線リソースの割り当てを維持するように前記無線リソース割当部を制御する、
ことを特徴とする無線通信装置。
【請求項３】
請求項１または２に記載の無線通信装置において、
前記或るセッションを介して送信すべきデータが、セッションを維持するために或る期間内に送信しなければならないデータである、
ことを特徴とする無線通信装置。
【請求項４】
セッション毎に規定されている優先順位に基づき、複数のセッションに対して無線リソースの割当制御を行う無線リソース割当ステップと、
或るセッションを介して送信するべきデータが自装置内にあるとき、前記優先順位に基づく割当制御では前記或るセッションに対して使用可能な無線リソースが存在しない場合、無線リソースを割り当てられている他のセッションから少なくとも１つの無線リソースを強制的に開放し、前記或るセッションに開放した無線リソースを割り当てるように制御する制御ステップと、
を含むことを特徴とする無線通信装置の制御方法。
【発明の詳細な説明】
【技術分野】
【０００１】
本発明は、無線通信装置およびその制御方法に関する。
【背景技術】
【０００２】
近年、移動体通信システムでは、無線アクセスネットワーク（ＲＡＮ）とＩＰネットワークとの通信に対するリソース割当制御技法が開発されている。例えは、ＲＡＮとＩＰネットワークとの間の通信に使用される無線アクセスチャネルと送受信ポートとを対応付けて割当制御および振り分け制御を行う技術（特許文献１を参照されたい。）が提案されている。
【特許文献１】特開2004-172897号公報（段落0008-0011、図１）
【発明の開示】
【発明が解決しようとする課題】
【０００３】
上述した提案技術は、異種ネットワークを接続する際の制御負荷の偏りや遅延を低減することは可能であるが、無線ネットワーク側における個々のセッションに対して適切なＱｏＳ制御を提供するものではない。例えば、同一移動端末内の複数のＰＰＰセッションが存在すると仮定する。このような状況において、例えば、Ｄｉｆｆｓｅｒｖｅ技法に基づき各ＰＰＰセッションのパケット転送の優先順位をＱｏＳ値で設定された場合には、有線側（ＩＰネットワーク）では機能するが、無線側では必ずしも適正に機能しない。各ＰＰＰセッションの無線側のリソースである無線帯域の確保は、前述のＱｏＳ値に基づき保証されるものではなく、無線帯域が全く確保されない状況（即ち、無線チャネルが割り当てられないケース）が十分に起こり得る。従来のＱｏＳ制御は優先側を対象に開発されたものであるため、無線側でのチャネル割当・開放の制御までは対応できないのが現状の技術である。従って、従来技術では、各ＰＰＰセッション間でのＱｏＳによる優先制御と各ＰＰＰセッションで必要とされる無線帯域の割当制御とが独立して別個に管理されているため、有線側（ＩＰネットワーク）での豊富なリソース（広帯域）と、これに比較して圧倒的に少ない無線側のリソース（狭帯域）とを適正に対応付けたり、割り振ったりすることができなかった。よって、従来は、同一移動端末内に複数のセッションが存在し、かつ、無線リソースが不足している場合には、同一移動端末内の各セッションに的確なＱｏＳ制御を提供することができなかった。
【０００４】
そこで、本発明は、マルチセッションにおけるセッション間の優先順位（ＱｏＳ値）に基づくパケット制御を考慮した無線リソースの割当制御を行うことができる無線通信装置およびその制御方法を提供することを目的とする。
【課題を解決するための手段】
【０００５】
上述した諸課題を解決すべく、第１の発明による無線通信装置（基地局、通信端末など）は、
（ＰＰＰセッション開始時にＰＰＰセッション毎に規定された優先順位（ＱｏＳ）を格納する格納部（メモリなど）と、）
セッション毎に規定されている優先順位（例えば、ＰＰＰセッション毎に規定されるＤｉｆｆｓｅｒｖｅによるＱｏＳ値など）に基づき、複数のＰＰＰセッションに対して無線リソースの割当制御を行う無線リソース割当部（回路など）と、
例えば、或るＰＰＰ（Point to Point Protocol）等のセッションを介して送信するべきデータが自装置内にあるとき（例えばＱｕｅｕｅｉｎｇ中のパケットがあるとき）、前記優先順位に基づく割当制御では前記或るＰＰＰセッションに対して使用可能な無線リソースが存在しない場合（即ち、使用可能な無線リソースを割り当てられている他のＰＰＰセッションの優先順位の全てが、前記或るＰＰＰセッションの優先順位よりも高い場合）、無線リソースを割り当てられている他のＰＰＰセッションから少なくとも１つの無線リソースを（優先順位にかかわらず）強制的に開放し、前記或るＰＰＰセッションに開放した無線リソースを割り当てるように（即ち、一時的に優先順位に基づかない例外割当制御を行う）、前記無線リソース割当部を制御する制御部（回路、ＣＰＵ、ソフトウァアモジュールなど）と、
を備えることを特徴とする。
【０００６】
また、第２の発明による無線通信装置は、
前記制御部が、
前記或るＰＰＰセッションに開放した無線リソースを割り当てた場合、前記或るＰＰＰセッションを介して送信すべきデータに応じた時間（即ち、保証時間）は、当該無線リソースの割り当てを維持する（即ち、開放しない）ように前記無線リソース割当部を制御する、
ことを特徴とする。
【０００７】
また、第３の発明による無線通信装置は、
前記或るＰＰＰセッションを介して送信すべきデータが、ＰＰＰセッションを維持するために或る期間内に送信しなければならないデータである（典型的には、相手端末から受信したＬＣＰエコー要求信号への応答信号のデータを搭載したパケット）、
ことを特徴とする。
【０００８】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【０００９】
例えば、本発明を方法として実現させた第４の発明による無線通信装置の制御方法は、
（ＰＰＰセッション開始時にＰＰＰセッション毎に規定された優先順位（ＱｏＳ）をメモリに格納する格納ステップと、）
ＰＰＰセッション毎に規定されている優先順位に基づき、複数のＰＰＰセッションに対して無線リソース（タイムスロット、チャネルなど）の割当制御を行う無線リソース割当ステップと、
或るＰＰＰセッションを介して送信するべきデータが自装置内にあるとき（Ｑｕｅｕｅｉｎｇ中のパケットがあるとき）、前記優先順位に基づく割当制御では前記或るＰＰＰセッションに対して使用可能な無線リソースが存在しない場合（即ち、使用可能な無線リソースを割り当てられている他のＰＰＰセッションの優先順位の全てが、前記或るＰＰＰセッションの優先順位よりも高い場合）、無線リソースを割り当てられている他のＰＰＰセッションから少なくとも１つの無線リソースを強制的に開放し、前記或るＰＰＰセッションに開放した無線リソースを割り当てるように制御する制御ステップと、
を含むことを特徴とする。
【発明の効果】
【００１０】
本発明によれば、無線通信端末とのマルチセッション中におけるセッション間の優先順位(ＱｏＳ)に基づいたパケット制御が可能となる。また、マルチセッションでの使用可能無線リソースに制限がある場合に優先順位の低いセッションでも必要最低限の帯域を確保でき、セッションの維持が安定して行われる。
【発明を実施するための最良の形態】
【００１１】
以降、諸図面を参照しながら、本発明の実施態様を詳細に説明する。図１は、本発明の実施態様による無線通信装置のブロック図である。図に示すように、無線通信装置１００は、ＰＰＰセッション開始時にＰＰＰセッション毎に規定された優先順位（ＱｏＳ）を格納する格納部１１０と、ＰＰＰセッション毎に規定されている優先順位（ＤｉｆｆｓｅｒｖｅによるＱｏＳ値など）に基づき、複数のＰＰＰセッションに対して無線リソースの割当制御を行う無線リソース割当部１２０と、或るＰＰＰセッションを介して送信するべきデータが自装置内にあるとき、前記優先順位に基づく割当制御では前記或るＰＰＰセッションに対して使用可能な無線リソースが存在しない場合、無線リソースを割り当てられている他のＰＰＰセッションから少なくとも１つの無線リソースを強制的に開放し、前記或るＰＰＰセッションに開放した無線リソースを割り当てるように（即ち、一時的に優先順位に基づかない例外割当制御を行う）、前記無線リソース割当部を制御する制御部１３０とを備える。また、無線通信装置１００は、割り当てられた無線リソースを使ってデータを受信する無線受信部１４０、前記無線リソースを使ってデータを送信する無線送信部１５０、およびアンテナＡＮＴをさらに備える。
【００１２】
無線リソース割当部１２０は、格納部１１０に格納されたセッション別に規定されている優先順位（ＱｏＳ値）に基づき、各セッションへの無線リソースの割当制御を行う。具体的には、高い優先順位を持つセッションに送信すべきデータ（パケット）がキューイングされている場合には、この高い優先順位を持つセッションに対してさらに無線リソースを与え、その引き換えに低い優先順位を持つセッションから無線リソースを開放する。優先順位に基づく割当制御下では、低い優先順位を持つセッションに割り当てるべき無線リソースが存在しない場合、条件（これについては後で詳述する）によっては、強制的に高い優先順位を持つセッションから無線リソースを開放し、低い優先順位を持つセッションに割り当てる。
【００１３】
図２は、複数ＰＰＰセッション開通可能な無線通信システム基地局と移動端末とのセッション構成例を示すネットワーク構成図である。図に示すように、移動端末ＭＳと基地局ＢＳとの間は無線で通信を行い、３本のＰＰＰセッションＳ１−Ｓ３を開通可能である。この３本のＰＰＰセッションＳ１−Ｓ３は、別々に開通／閉鎖が可能であり、個々に通信が可能である。個々のＰＰＰセッションで通信を開始する場合に、移動端末ＭＳと基地局ＢＳ間での無線リソースは個々に獲得され、それぞれのＰＰＰセッションの通信を担う。基地局はネットワークＮＷに接続されており、ネットワークＮＷより先にはサーバ（図示せず）、このサーバに接続しているＰＰＰセッションの相手端末（図示せず）などがある。
【００１４】
一般的にセッション維持のためには、セッションに関連する装置間で、相互に定期的に何らかの信号を送信し合う必要がある。例えば、相手端末がＷｉｎｄｏｗｓなどの場合はａｌｉｖｅ信号としてＬＣＰエコー要求信号への応答信号を送信しなければＰＰＰセッションがタイムアウトで切断されてしまう仕様になっている。例えば、１分毎に相手端末からＬＣＰエコー要求信号が送信され、これに応答しない場合は、１０秒などの間隔でＬＣＰエコー要求信号が何回か再送され、これにも端末が応答しなければ、端末側がセッション終了処理をせずセッションを終了したもの、或いは、何らかの異常があったものとして、相手端末側からＰＰＰセッションが強制的に終了されてしまう。ユーザにとっては、何らかのエラーによって、継続中のセッションが突然ダウンすることになり、所定の再接続動作（アイコンやラジオボタンなどのクリックや選択動作など）をユーザに強いることになる。さらには、自装置ではなく相手の無線通信装置が無線リソース割当の制御権を持つ場合には、セッション終了によって開放された当該無線リソースを他の通信端末（ノード）に横取りされてしまう恐れもある。従って、ユーザにとってはＰＰＰセッションが一時的であっても終了してしまうデメリットは非常に大きい。なお、他のシステム、例えばＬｉｎｕｘであっても同様にＰＰＰセッションを維持するためのａｌｉｖｅ信号の送信が必要とされる。後で詳細に説明するが、本発明によれば、ＰＰＰセッションの維持を保証して、セッション切断を防止することが可能となる。
【００１５】
このような装置において、さらにＤｉｆｆｓｅｒｖｅによるＤＳＣＰ Ｍａｒｋｉｎｇ等による手法を用いてＰＰＰセッションにＱｏＳ値を設定するシステムを考えた場合、当然、図１における３本のＰＰＰセッションＳ１、Ｓ２、Ｓ３に対して個別にＱｏＳ値（優先順位）を設定することが可能となる。このようにＱｏＳ値を設定した場合には、各ＰＰＰセッションを通過するパケットの処理されるべき優先順位が設定されることと同義になる。従って、パケットの優先順位による処理を実施するために、図１のような無線通信システムでは基地局ＢＳと移動端末ＭＳ間の無線区間でのストリーム使用において、その無線リソースの使用頻度に対し優先度をつけるシステムが一般的である。
【００１６】
そのようなシステムの場合、異なる移動端末である場合には基本的に優先順位に従って無線リソースを割り当てることにより対応できる。本発明では、１つの移動端末に複数のＰＰＰセッションが存在するマルチセッションの場合には、使用可能な無線リソースが制限される状況が発生するためにこれを考慮し、且つ優先順位を考慮した無線リソースの割り当てアルゴリズムを提供する。
【００１７】
図３は、図２の構成において各セッションに優先順位が設定されたネットワーク構成図である。図に示すように、３本のＰＰＰセッションＳ１−Ｓ３には、ＱｏＳに基づき、ＢＥ（ベストエフォート）型、ＡＦ−ＰＨＢ(Assured Forwarding)型、ＥＦ−ＰＨＢ(Expedited Forwarding)/型の優先順位が設定される。ＢＥ（ベストエフォート）型が最も優先順位が低く、ＡＦ−ＰＨＢ型が中くらいの優先順位であり、ＥＦ−ＰＨＢ型が最も高い優先順位であり、よってそのパケット通過優先順位は
Ｓ３（ＥＦ−ＰＨＢ型）＞Ｓ２（ＡＦ−ＰＨＢ型）＞Ｓ１（ＢＥ型）
となる。
【００１８】
また、この無線システムが、ＴＤＭＡ（時分割多元接続）によってタイムスロットが３つに分割されているものとすると、各ＰＰＰセッションがストリームを開始することができるのは最大３本であり、また、それぞれのタイムスロットは異なるチャネルを選択しなければならない。従って、使用可能な無線リソースが制限されることとなっている。
【００１９】
図４は、図３のセッション構成における無線リソース割当の一例を示す図である。ＢＥ型であるＰＰＰセッションＳ１に送信が必要なデータが発生した場合に、まず無線リソースを１つ（即ち、上下で一対の無線リソース）消費してストリームを開始する(アップリンクスロットＵ１、ダウンリンクスロットＤ１)。送信すべきデータが多い場合にはさらにストリームを開始し、最大３ストリームまで開始することとなる(アップリンクスロットＵ２、Ｕ３、ダウンリンクスロットＤ２、Ｄ３)。この状態においてＡＦ−ＰＨＢ型であるＰＰＰセッションＳ２にて送信すべきデータが発生した場合、ＰＰＰセッションＳ２とＰＰＰセッションＳ１はマルチセッションであるが為に無線リソースを共有せざるを得ない。従って、既にＰＰＰセッションＳ１でアップリンクスロットＵ１−Ｕ３、ダウンリンクスロットＤ１−Ｄ３を使用しているため、ストリームを新たに開始することが出来ない。従って、ＰＰＰセッションＳ１で使用しているストリームを１本切断して無線リソースを確保してから、ＰＰＰセッションＳ２にてストリームを新たに開始する。
【００２０】
図５は、図３のセッション構成における無線リソース割当の一例を示す図である。図４の状態で、さらにＰＰＰセッションＳ２において送信すべきデータがある場合には、それを送信する為に帯域を確保する必要がある。従って、ＰＰＰセッションＳ１で使用しているストリームであるアップリンクスロットＵ２およびダウンリンクスロットＤ２をさらに切断し（開放し）、空いた無線リソースをＰＰＰセッションＳ２に割り当て直して使用する。
【００２１】
ここまでの動作については、従来技術と基本的に同様であり、優先度の高いセッションが優先的に無線リソースを使用し、一方で、優先度の低いセッションが保持していた無線リソースを開放する動作を行う。
【００２２】
図６は、図３のセッション構成における無線リソース割当の一例を示す図である。図５の状態において、ＰＰＰセッションＳ２において、さらに送信すべきデータがある場合には、セッションＳ１で使用している無線リソース（アップリンクスロットＵ３およびダウンリンクスロットＤ３）をさらに開放（切断）し、空いた無線リソースをＰＰＰセッションＳ２に割り当てる。このときＰＰＰセッションＳ１では使用可能な無線リソースが０となる為、送信すべきパケットが溜まってしまう、即ち、キューイングされてしまう。そこで、基地局もしくは移動端末より再度無線リソースの獲得を行う必要がある。特に、キューイングされているパケットがセッション維持に必須のものである場合は、前述したようにタイムアウトでセッション自体が切断されてしまう恐れもある。
【００２３】
図７は、図３のセッション構成における無線リソース割当の一例を示す図である。図に示すように、無線リソースは全てＰＰＰセッションＳ１から、優先順位がより上位のＱｏＳであるＰＰＰセッションＳ２に切り替えられてしまい、ＰＰＰセッションＳ２に占有されているが、ＰＰＰセッションＳ１の為に無線リソース（アップリンクスロットＵ３、ダウンリンクスロットＤ３）を切断（開放）し、空いた無線リソースをＰＰＰセッションＳ１に割り当てる。通常のＱｏＳ制御ではこのような優先順位の逆転（例外処理）は行わないが、無線システムの場合には通信チャネルを開通しない限り、パケットを全く送受信させることが出来ないため、優先順位を逆転させてパケットを透過させるために無線リソースの確保を行う。
【００２４】
図７の操作によって一旦、ＰＰＰセッションＳ２にて使用可能な無線リソースが２本となるが、必要があれば再度ＰＰＰセッションＳ１の無線リソースを切断する動作を行われる場合がある。このとき、ＰＰＰセッションＳ１を開通して、すぐに無線リソースを切断してしまうとパケットの送受信がほとんど出来ないまま終わってしまう可能性があるため、一旦確保した無線リソースはある程度の時間にわたって占有することを保証する仕組みが必要となる。この保証時間についてはどのようなパケットを送受信するか、何が目的で通信するのか、どのようなシステムか等によって決定されるべきであるが、これについては後で詳細に述べる。
【００２５】
図８−１０は、図３のセッション構成における無線リソース割当の一例を示す図である。図７の状態においてさらにＥＦ−ＰＨＢであるＰＰＰセッションＳ３にて通信チャネルを開通する要求が発生した場合に、無線リソースの確保を行う必要がある。この無線リソースの確保の為に、優先順位の最も低いＰＰＰセッションＳ１で使用している無線リソース（アップリンクスロットＵ３、ダウンリンクスロットＤ３）を切断（開放）する。
【００２６】
ＰＰＰセッションＳ３にて、さらに無線リソースを必要とした場合に、ＰＰＰセッションＳ２の無線リソース（アップリンクスロットＵ２、ダウンリンクスロットＤ２）を切断する。このとき保証時間を考慮し、これを満たした場合には図９に示すように切断を行い、ＰＰＰセッションＳ２で使用している無線リソースがいずれも保証時間を満たさない場合には、ＰＰＰセッションＳ３における無線リソースの確保を一時保留し、無線リソースが切断可能となるよう保証時間が経過後に改めて、図９のようにＰＰＰセッションＳ２の無線リソースを切断するといった動作が必要となる。
【００２７】
ＰＰＰセッションＳ１にて、さらに無線リソースを必要とした場合には、ＰＰＰセッションＳ２の無線リソースを切断することを試み、保証時間未満であった場合には、図１０のように、ＰＰＰセッションＳ３の無線リソースを切断することも有り得る。
【００２８】
このようにマルチセッションにおいて無線リソースの確保が必要な状況が発生した場合に使用可能な無線リソースが存在しなかったならば、ＱｏＳ等による優先順位に基づいて現在使用中の無線リソースを切断すること、または必要ならば優先順位を逆転させることにより確実に無線リソースの確保を行う。これらの方式によって、基本的な優先順位を遵守しつつ、但し、低優先順位のセッションであっても必要最低限の通信を維持できる動作が実現できる。この必要最低限の通信の維持・確保により、通セッション自体の維持が可能となり、不要なセッション切断を回避することができるようになる。
【００２９】
図１２は、本発明の実施態様による保証時間を考慮した無線通信装置の制御方法の処理を示すフローチャートである。図に示すように、ステップＰ１１にて、ストリームを開通するためにStreamOpenRequest（送信パケット発生など）を検出する。これを受け、空き無線リソースがあるか否かをリソース管理テーブルなどを参照して判定する（ステップＰ１２）。無線リソースがある場合は、ステップＰ１３に進み、無線リソースを確保して、StreamOpenを行って処理を終える（ステップＰ１４）。
【００３０】
ステップＰ１２にて空き無線リソースがないと判定された場合は、マルチセッション中で他セッションが無線リソースを使用中であるか否かを判定する（ステップＰ１５）。他セッションが無線リソースを使用中でない場合は、使用可能無線リソースがないと判断し（ステップＰ１６）、StreamOpenFailed処理を行い、処理を終える（ステップＰ１７）。ステップＰ１５にて、他セッションが無線リソースを使用中であると判定された場合は、ステップＰ１８に進み、使用中のセッションが２以上あるか否かを判定する。使用中のセッションが２以上ある場合は、使用中セッション群から最も低いＱｏＳを持つ他セッションを取得する（ステップＰ１９）。ステップＰ２０では、ストリーム開通対象である自ストリームのＱｏＳと他セッションのＱｏＳとを式１で比較する。
自ＱｏＳ  ≧  他ＱｏＳ                                          （式１）
式１を満たさない場合は、ステップＰ２４に進み、さらに式２で判定を行う。
他ＱｏＳのセッションストリーム継続時間  ≧  ストリーム保証時間  （式２）
式２を満たさない場合は、ステップＰ２５に進み、今回選択された他ＱｏＳのセッションを選択外に設定し、その後、ステップＰ１５に処理を戻す。
【００３１】
ステップＰ２０、Ｐ２４の式１、式２のいずれかを満たす場合は、ステップＰ２１に進み、対象となっている他ＱｏＳのセッションをクローズして（無線リソースも開放して）、他ＱｏＳのセッションから開放された無線リソースを新たなストリーム用に確保し（ステップＰ２２）、確保された無線リソースを使ってStreamOpen処理を行い（ステップＰ２３）、処理を終える。本アルゴリズムによれば、各セッションが保証時間の間、無線リソースを確保することが保証され、効率的な割当制御を行うことが可能となる。
【００３２】
上述したように、本発明によれば、無線通信システム基地局等の複数の周波数を制御可能であり、またそれらの周波数において移動端末と通信が可能となるシステム、かつ、無線通信システム基地局等と移動端末との間に複数のＰＰＰセッションを開通することが可能であるシステムにおいて、同一移動端末における複数ＰＰＰセッション間(マルチセッション)でのＱｏＳ等による優先順位を用いて無線帯域におけるＱｏＳ制御を実現することが可能になる。
【００３３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップなどに含まれる機能などは論理的に矛盾しないように再配置可能であり、複数の手段やステップなどを１つに組み合わせたり、或いは分割したりすることが可能である。
【図面の簡単な説明】
【００３４】
【図１】本発明の実施態様による無線通信装置のブロック図である。
【図２】複数ＰＰＰセッション開通可能な無線通信システム基地局と移動端末とのセッション構成例を示すネットワーク構成図である。
【図３】図２の構成において各セッションに優先順位が設定されたネットワーク構成図である。
【図４】図３のセッション構成における無線リソース割当の一例を示す図である。
【図５】図３のセッション構成における無線リソース割当の一例を示す図である。
【図６】図３のセッション構成における無線リソース割当の一例を示す図である。
【図７】図３のセッション構成における無線リソース割当の一例を示す図である。
【図８】図３のセッション構成における無線リソース割当の一例を示す図である。
【図９】図３のセッション構成における無線リソース割当の一例を示す図である。
【図１０】図３のセッション構成における無線リソース割当の一例を示す図である。
【図１１】図３のセッション構成における無線リソース割当の一例を示す図である。
【図１２】本発明の実施態様による保証時間を考慮した無線通信装置の制御方法の処理を示すフローチャートである。
【符号の説明】
【００３５】
１００  無線通信装置
１１０  格納部
１２０  無線リソース割当部
１３０  制御部
１４０  無線受信部
１５０  無線送信部
ＡＮＴ  アンテナ
ＢＳ  基地局
ＭＳ  移動端末
ＮＷ  ネットワーク
Ｓ１−Ｓ３  ＰＰＰセッション
Ｕ１  アップリンクスロット
Ｕ２  アップリンクスロット
Ｕ３  アップリンクスロット
Ｄ１  ダウンリンクスロット
Ｄ２  ダウンリンクスロット
Ｄ３  ダウンリンクスロット
【図１】
2008085794.tif 000003
【図２】
2008085794.tif 000004
【図３】
2008085794.tif 000005
【図４】
2008085794.tif 000006
【図５】
2008085794.tif 000007
【図６】
2008085794.tif 000008
【図７】
2008085794.tif 000009
【図８】
2008085794.tif 000010
【図９】
2008085794.tif 000011
【図１０】
2008085794.tif 000012
【図１１】
2008085794.tif 000013
【図１２】
2008085794.tif 000014